(57)【要約】【課題】外輪を回転させることでその内側に配設されたボールが転がる楽しさ、美的変化、及びリラックス効果を生じさせることのできる指輪を提供する。【解決手段】外輪１１のすぼみ部１１ｃとボールストッパーリング１５の拡開部１５ａと内輪１３の溝１３ａとによりボール収納空間１４が形成されている。かかる構成において、内輪１３は人の指に装着される。外輪１１はこの内輪１３に対し回動自在である。外輪１１を回動させると、ボール７が転がり、ボール７の透過光や反射光によりボール７が美しく輝いて見える。ボール７が転がることで装着した人に対し楽しさ及びリラックス感を与えることができる。【選択図】        図２
2007190205.tif 000002
【特許請求の範囲】
【請求項１】
外輪と、
該外輪の内側に配置され、指に装着される内輪と、
該内輪の外周面及び／又は前記外輪の内周面に対し周状に形成された段差部と、
該段差部に沿って該段差部の高さを埋めつつ挿入自在の少なくとも一つのボールストッパーリングと、
前記段差部を利用して、該ボールストッパーリングと前記外輪と前記内輪の間に周状に形成されたボール収納空間と、
該ボール収納空間に収納されたボールとを備えた指輪であって、
該ボールは、前記外輪が回動されることで前記ボール収納空間中を周方向に移動自在であることを特徴とする指輪。
【請求項２】
前記外輪及び／又は前記内輪の周方向複数箇所に前記ボールの直径よりも狭い長孔が設けられたことを特徴とする請求項１記載の指輪。
【発明の詳細な説明】
【技術分野】
【０００１】
本発明は指輪に係わり、特に外輪を回転させることでその内側に配設されたボールが転がる楽しさ、美的変化、及びリラックス効果を生じさせることのできる指輪に関する。
【背景技術】
【０００２】
従来、外輪が回転する構造を有する指輪として特許文献１に記載された指輪が知られている。この指輪では、外輪と内輪との間にボールを介在させたボールベアリング構造を有し、既成のボールベアリングを使用できる旨記載されている。そして、製造においては、ボールベアリングの周知又は公知の技術のみによって製造できる旨記載されている。
【特許文献１】特開２００２−３３０８０４号公報
【発明の開示】
【発明が解決しようとする課題】
【０００３】
ところで、ボールベアリングの周知の製造工程について図７から図９を基に説明する。まず、図７において、外輪１の内側に内輪３を挿入し、この内輪３を外輪１の内周面に当接させる。このときできた隙間５にボール７を必要個数分挿入する。その後、ボール７を隙間５の狭くなる方向に周状にバランスよく移動させつつ、内輪３が外輪１の中心位置に来るまで移動させる。この内輪３が外輪１の中心位置に来たときの様子を示したのが図８である。
【０００４】
その後、ボール７を隙間５の適所に均等配置し周方向に移動できないようにするため、保持部材９をボール７同士の間に介在させる。このときの様子を図９に示す。
【０００５】
しかしながら、ボール７による装飾効果を考えたときに、ボール７が隙間５に対し周方向に隙間無く連設された方が美的インパクトを強く出せる。この場合に前述したボールベアリングの製造方法では、配設の特殊性から対処できなかった。
【０００６】
また、ボール７以外の保持部材９も外部から見えることから美的効果が薄くなるし、保持部材９の取り付け工程自体も緻密な作業であり極めて煩雑であった。そして、この保持部材９の必要な分、部品面及び作業面からコスト高にもなっていた。
【０００７】
本発明はこのような従来の課題に鑑みてなされたもので、外輪を回転させることでその内側に配設されたボールが転がる楽しさ、美的変化、及びリラックス効果を生じさせることのできる指輪を提供することを目的とする。
【課題を解決するための手段】
【０００８】
このため本発明の指輪は、外輪と、該外輪の内側に配置され、指に装着される内輪と、該内輪の外周面及び／又は前記外輪の内周面に対し周状に形成された段差部と、該段差部に沿って該段差部の高さを埋めつつ挿入自在の少なくとも一つのボールストッパーリングと、前記段差部を利用して、該ボールストッパーリングと前記外輪と前記内輪の間に周状に形成されたボール収納空間と、該ボール収納空間に収納されたボールとを備えた指輪であって、該ボールは、前記外輪が回動されることで前記ボール収納空間中を周方向に移動自在であることを特徴とする。
【０００９】
外輪と内輪の間にボールストッパーリングを設けたことで、ボールをボール収納空間に収納する作業が簡単に行える。ボールをボール収納空間中に隙間無く配設すれば、美的効果は非常に高い。内輪は人の指に装着される。外輪はこの内輪に対し回動自在である。外輪を回動させると、ボールが転がり、ボールの透過光や反射光によりボールが美しく輝いて見える。ボールが転がることで装着した人に対し楽しさ及びリラックス感を与えることができる。
【００１０】
また、本発明の指輪は、前記外輪及び／又は前記内輪の周方向複数箇所に前記ボールの直径よりも狭い長孔が設けられたことを特徴とする。
【００１１】
このことにより、長孔からもボールの転がる様子が見えるため一層の楽しさ及び美的効果を生ずることができる。
【発明の効果】
【００１２】
以上説明したように本発明によれば、外輪と内輪の間にボールストッパーリングを設けたことで、ボールをボール収納空間に収納する作業が簡単に行える。ボールをボール収納空間中に隙間無く配設すれば、美的効果は非常に高い。
【発明を実施するための最良の形態】
【００１３】
以下、本発明の実施形態について説明する。本発明の実施形態である指輪の全体斜視外観図を図１に、また図１中のＡ−Ａ矢視断面図を図２に示す。更に、図３には、指輪の分解斜視構成図を示し、また、図４には、図３の縦断面図を示す。なお、図７〜図９と同一要素のものについては同一符号を付して説明は省略する。
【００１４】
図１〜図４において、指輪１０の外輪１１は筒状の外壁１１ａを有している。そして、この外壁１１ａの下端部には、内側に向けて突設された段差部１１ｂを有している。そして、この段差部１１ｂと外壁１１ａとの間には、表面が連続しつつ開口面積が次第に小さくなるようにすぼみ部１１ｃが形成されている。すぼみ部１１ｃは、ボール７の球体形状に一致する曲面を有しており、ボール７の一部外周が当接自在なようになっている。ボール７は例えばサファイヤクリスタルにて形成される。
【００１５】
内輪１３は、この外輪１１の外壁１１ａの内側に挿入可能なようになっている。内輪１３も筒状であるが、外輪１１と対峙する外周面の中央に周方向にＵ字状の溝１３ａが刻設されている。溝１３ａは断面がボール７の球体形状に一致する曲面を有しており、ボール７の一部外周をガイドレールとして当接自在に受けることが可能なようになっている。
【００１６】
ボール７は、この溝１３ａに沿ってほとんど隙間無く環状に配設され、それぞれのボール７同士の間が隣接されている。
内輪１３と外輪１１の間で、かつ外輪１１の外壁１１ａの内側には、上方よりボールストッパーリング１５が挿入可能なようになっている。このボールストッパーリング１５の下端部の径は、外方に向けて次第に拡開された拡開部１５ａを有している。そして、この拡開部１５ａは、ボール７の球体形状に一致する曲面を有しており、ボール７の一部外周が当接自在なようになっている。
【００１７】
そして、外輪１１のすぼみ部１１ｃとボールストッパーリング１５の拡開部１５ａと内輪１３の溝１３ａとによりボール収納空間１４が形成されている。
かかる構成において、内輪１３は人の指に装着される。外輪１１はこの内輪１３に対し回動自在である。外輪１１を回動させると、ボール７が転がり、ボール７の透過光や反射光によりボール７が美しく輝いて見える。ボール７が転がることで装着した人に対し楽しさ及びリラックス感を与えることができる。
【００１８】
なお、外輪１１及び内輪１３のそれぞれに対し周方向複数箇所にボール７の直径よりも狭い長孔（図示略）を設ければ、この長孔からもボール７の転がる様子が見えるため一層の効果を生ずることができる。
【００１９】
また、上記では、ボールストッパーリング１５が外輪１１の外壁１１ａの内側に挿入されているとして説明したが、外輪１１の内側にＵ字状の溝を刻設し、かつ内輪１３の外壁面に段差を設け、この内輪１３の外壁面に沿ってボールストッパーリング１５が挿入されるようにされてもよい。
【００２０】
更に、外輪１１の内側及び内輪１３の外側の双方に対し段差を設け、この段差の高さを埋めるように外輪１１の内側に一つのボールストッパーリングを配設し、かつ内輪１３の外側にもう一つのボールストッパーリングを配設するようにされてもよい。
【実施例】
【００２１】
次に、本発明の実施例について説明する。図５には、指輪１０のリングサイズに対する内輪１３の内側直径（ＩＤ）、外側直径（ＯＤ）及び、外輪１１の内側直径（ＩＤ）、外側直径（ＯＤ）を示す。
【００２２】
図５には、また、ボール７がクリアランスの中心に位置したと仮定したときのそれぞれのボール７の中心位置を貫通し、周状に見たときの円周長を示している。そして、この周状に配設されているボール７の個数を記載している。
【００２３】
なお、これらの寸法の定義を図２に示す。更に、寸法関係をより明確にするために、図６に指輪１０の部分縦断面図を示す。各指輪のリングサイズに対し、使用したボール７の直径は全て２．０ｍｍである。外輪１１及び内輪１３の板厚はそれぞれ０．９ｍｍである。Ｕ字状の溝１３ａは、半径１．０５ｍｍの円周を有するように形成されている。この溝１３ａの深さは０．６ｍｍである。
【００２４】
外輪１１の内側直径（ＩＤ）と内輪１３の外側直径（ＯＤ）の差は常に１．８ｍｍである。このため、図６に示すように、ボール７は直径２ｍｍの内０．９ｍｍが外輪１１と内輪１３の隙間から見えるようになっている。
【００２５】
指輪１０を製造するに際しては、内輪１３の溝１３ａに対し表１に記す数のボール７を周状に埋設した状態に保持しつつ外輪１１に挿入する。このとき、ボール７はすぼみ部１１ｃの段差に当接することで停止する。その後、ボールストッパーリング１５を拡開部１５ａがボール７に面するように挿入する。そして、外輪１１とボールストッパーリング１５とを溶接する。
【００２６】
なお、溶接に際しては、外輪１１が内輪１３に対し円滑に回動するように注意しつつ、外輪１１と内輪１３の垂直方向のずれを防止した状態で行う。また、ボール７と溝１３ａ、すぼみ部１１ｃ及び拡開部１５ａとの間には、それぞれ０．０５ｍｍのクリアランスをもたせている。更に、外輪１１の外壁１１ａの板厚とボールストッパーリング１５の板厚の合計が、外輪１１の段差部１１ｂの板厚と同一となるように形成されるのが美的観点から望ましいが、異なるように形成されることも可能である。
【図面の簡単な説明】
【００２７】
【図１】本発明の実施形態である指輪の全体斜視外観図
【図２】図１中のＡ−Ａ矢視断面図
【図３】指輪の分解斜視構成図
【図４】図３の指輪の縦断面図
【図５】指輪の寸法表
【図６】指輪の部分縦断面図
【図７】ボールベアリングの従来の製造工程（その１）
【図８】ボールベアリングの従来の製造工程（その２）
【図９】ボールベアリングの従来の製造工程（その３）
【符号の説明】
【００２８】
１０ 指輪
１１ 外輪
１１ａ 外壁
１１ｂ 段差部
１１ｃ すぼみ部
１３ 内輪
１３ａ 溝
１４ ボール収納空間
１５ ボールストッパーリング
１５ａ 拡開部
【図１】
2007190205.tif 000003
【図２】
2007190205.tif 000004
【図３】
2007190205.tif 000005
【図４】
2007190205.tif 000006
【図５】
2007190205.tif 000007
【図６】
2007190205.tif 000008
【図７】
2007190205.tif 000009
【図８】
2007190205.tif 000010
【図９】
2007190205.tif 000011